(57)【要約】【課題】的確に収容物１８を拘束することができるようにする。【解決手段】熱収縮性フィルム１７が収容箱に挿入され、空隙１２に押し込まれ、粘着テープ１に押し付けられ、付着する。さらに、収容物１８が収容箱に収容され、熱収縮性フィルム１７によって収容物１８が包装され、熱収縮性フィルム１７が適宜熱収縮され、粘着テープ１および熱収縮性フィルム１７によって収容物１８が拘束される。【選択図】図５
2010159078.tif 000002
【特許請求の範囲】
【請求項１】
収容箱の底面に空隙が形成され、前記空隙の外側において、粘着テープが前記空隙を横切るよう配置され、前記空隙の両側部分に貼り付けられ、熱収縮性フィルムが前記収容箱に挿入され、前記空隙に押し込まれ、前記粘着テープに押し付けられ、付着しており、さらに、収容物が前記収容箱に収容され、前記熱収縮性フィルムによって前記収容物が包装され、前記熱収縮性フィルムが適宜熱収縮され、前記粘着テープおよび熱収縮性フィルムによって前記収容物が拘束されていることを特徴とする梱包形態。
【請求項２】
一対の底フラップが互いに対向し、前記各底フラップが内側に折り曲げられ、前記底フラップによって前記底面が形成されており、さらに、前記各底フラップ間に間隙が形成され、前記空隙は前記間隙からなり、前記間隙の外側において、前記粘着テープが前記間隙を横切るよう配置され、前記底フラップの外面に貼り付けられていることを特徴とする請求項１に記載の梱包形態。
【請求項３】
一対の底フラップが互いに対向し、一対の内フラップが互いに対向し、前記各内フラップが内側に折り曲げられ、前記各底フラップが内側に折り曲げられ、前記内フラップに重ね合わされ、前記底フラップおよび内フラップによって前記底面が形成されており、さらに、前記各内フラップ間に間隙が形成され、前記空隙は前記間隙からなり、前記間隙の外側において、前記粘着テープが前記間隙を横切るよう配置され、前記内フラップの外面に貼り付けられていることを特徴とする請求項１に記載の梱包形態。
【請求項４】
一対の底フラップが互いに対向し、一対の内フラップが互いに対向し、前記各内フラップが内側に折り曲げられ、前記各底フラップが内側に折り曲げられ、前記内フラップに重ね合わされ、前記底フラップおよび内フラップによって前記底面が形成されており、さらに、前記内フラップの所定個所に孔が形成され、前記空隙は前記孔からなり、前記孔の外側において、前記粘着テープが前記孔を横切るよう配置され、前記内フラップの外面に貼り付けられていることを特徴とする請求項１に記載の梱包形態。
【発明の詳細な説明】
【技術分野】
【０００１】
この発明は、収容物の梱包形態に関するものであり、特に、収容物を拘束することができる梱包形態に関するものである。
【背景技術】
【０００２】
収容物を拘束することができる梱包形態が特開２００２−１１４２１０号公報（特許文献１）に記載され、提案されている。同公報のものでは、熱収縮性フィルムに接着剤が塗布され、これが収容箱に挿入され、接着剤によって熱収縮性フィルムと収容箱が付着する。さらに、収容物が収容箱に収容され、熱収縮性フィルムによって収容物が包装され、熱収縮性フィルムが適宜熱収縮され、収容箱および熱収縮性フィルムによって収容物が拘束される。したがって、収容箱に緩衝材を充填する必要はない。
【０００３】
しかしながら、この場合、熱収縮性フィルムに接着剤を塗布する必要があり、接着剤のコストの問題がある。それを自動化するには、専用の装置を特別に設けねばならず、そのコストの問題もある。
【０００４】
したがって、この発明は、収容物の梱包形態において、熱収縮性フィルムに接着剤を塗布しなくても、的確に収容物を拘束することができるようにすることを目的としてなされたものである。
【先行技術文献】
【特許文献】
【０００５】
【特許文献１】特開２００２−１１４２１０号公報
【発明の概要】
【０００６】
この発明によれば、収容箱の底面に空隙が形成され、空隙の外側において、粘着テープが空隙を横切るよう配置され、空隙の両側部分に貼り付けられる。さらに、熱収縮性フィルムが収容箱に挿入され、空隙に押し込まれ、粘着テープに押し付けられ、付着する。さらに、収容物が収容箱に収容され、熱収縮性フィルムによって収容物が包装され、熱収縮性フィルムが適宜熱収縮され、粘着テープおよび熱収縮性フィルムによって収容物が拘束される。
【０００７】
好ましい実施例では、一対の底フラップが互いに対向し、各底フラップが内側に折り曲げられ、底フラップによって底面が形成される。さらに、各底フラップ間に間隙が形成され、空隙として間隙が使用される。そして、間隙の外側において、粘着テープが間隙を横切るよう配置され、底フラップの外面に貼り付けられる。
【０００８】
他の実施例では、一対の底フラップが互いに対向し、一対の内フラップが互いに対向する。さらに、各内フラップが内側に折り曲げられ、各底フラップが内側に折り曲げられ、内フラップに重ね合わされ、底フラップおよび内フラップによって底面が形成される。さらに、各内フラップ間に間隙が形成され、空隙として間隙が使用される。そして、間隙の外側において、粘着テープが間隙を横切るよう配置され、内フラップの外面に貼り付けられる。
【０００９】
他の実施例では、内フラップの所定個所に孔が形成され、空隙として孔が使用される。そして、孔の外側において、粘着テープが孔を横切るよう配置され、内フラップの外面に貼り付けられる。
【図面の簡単な説明】
【００１０】
【図１】この発明の実施例を示す斜視図である。
【図２】図１の収容箱の底フラップを折り曲げた状態を示す斜視図である。
【図３】図２の収容箱の粘着テープを貼り付けた状態を示す斜視図である。
【図４】図３の収容箱の熱収縮性フィルムを挿入した状態を示す断面図である。
【図５】図４の収容箱の収容物を包装した状態を示す断面図である。
【図６】他の実施例を示す斜視図である。
【図７】図６の収容箱の熱収縮性フィルムを挿入した状態を示す断面図である。
【図８】他の実施例を示す斜視図である。
【図９】図８の収容箱の熱収縮性フィルムを挿入した状態を示す断面図である。
【図１０】他の実施例を示す斜視図である。
【図１１】図１０の収容箱の熱収縮性フィルムを挿入した状態を示す断面図である。
【発明を実施するための形態】
【００１１】
以下、この発明の実施例を説明する。
【００１２】
図１、図２および図３はこの発明にかかる梱包形態の収容箱を示す。この収容箱は角型のもので、底面を有する。そして、その底面に空隙が形成され、空隙の外側において、粘着テープ１が空隙を横切るよう配置され、空隙の両側部分に貼り付けられる。
【００１３】
この実施例では、収容箱の底面において、一対の底フラップ２が一対の長辺３に形成され、互いに対向し、一対の内フラップ４が一対の短辺５に形成され、底フラップ２に直角に配置され、互いに対向する。同様に、収容箱の頂面において、一対の蓋フラップ６が一対の長辺７に形成され、互いに対向し、一対の内フラップ８が一対の短辺９に形成され、蓋フラップ６に直角に配置され、互いに対向する。
【００１４】
さらに、各内フラップ４が内側に折り曲げられ、各底フラップ２が内側に折り曲げられ、内フラップ４に重ね合わされ、底フラップ２および内フラップ４によって底面が形成される。さらに、各底フラップ２が内側に折り曲げられたとき、各底フラップ２間において、粘着テープ１が底フラップ２の端縁１０に沿って配置され、その外面に貼り付けられ、粘着テープ１によって各底フラップ２が連結される。普通、粘着テープ１として底フラップ２よりも長いものが使用され、これが収容箱の側面１１に貼り付けられ、これによって各底フラップ２が固定される。
【００１５】
さらに、この実施例では、収容箱の底面において、各底フラップ２間に間隙１２が形成され、空隙として間隙１２が使用される。たとえば、各底フラップ２の端縁１０に切り欠き１３が形成され、切り欠き１３によって間隙１２が形成される。切り欠き１３は矩形状のもので、一定長さにわたって形成される。そして、粘着テープ１によって各底フラップ２が連結されるとき、間隙１２の外側において、粘着テープ１が間隙１２を横切るよう配置され、底フラップ２の外面に貼り付けられ、間隙１２の両側部分に貼り付けられ、粘着テープ１によって間隙１２が被覆される。
【００１６】
さらに、内フラップ４は長辺２の半分の長さよりも短い。したがって、各内フラップ４を内側に折り曲げたとき、各内フラップ４間に間隙１４が形成される。さらに、内フラップ４の端縁１５に切り欠き１６が形成されており、切り欠き１６によって間隙１４が形成される。切り欠き１６も矩形状のものである。
【００１７】
その後、図４に示すように、熱収縮性フィルム１７が収容箱に挿入され、間隙１２，１４に押し込まれ、粘着テープ１に押し付けられ、付着する。
【００１８】
さらに、図５に示すように、収容物１８が収容箱に収容され、熱収縮性フィルム１７によって収容物１８が包装され、熱収縮性フィルム１７が適宜熱収縮される。たとえば、熱収縮性フィルム１７にブロッキング性のものが使用され、熱収縮性フィルム１７によって収容物１８が包囲され、加熱装置によって熱収縮性フィルム１７が加熱される。したがって、加熱されたとき、ブロッキング性によって熱収縮性フィルム１７がくっつき、収容物１８が包装される。さらに、加熱されたとき、熱収縮性フィルム１７が適宜熱収縮される。
【００１９】
したがって、粘着テープ１および熱収縮性フィルム１７によって包装物１８が拘束される。さらに、その後、各内フラップ８が内側に折り曲げられ、各蓋フラップ６が内側に折り曲げられ、内フラップ８に重ね合わされ、蓋フラップ６および内フラップ８によって収容箱が閉じられ、頂面が形成される。さらに、各蓋フラップ６間において、粘着テープが蓋フラップ６の端縁に沿って配置され、その外面に貼り付けられ、粘着テープによって各蓋フラップ６が連結され、固定される。これによって収容物１８が梱包され、その梱包形態が得られるものである。
【００２０】
したがって、収容箱に緩衝材を充填する必要はない。充填しなくても、的確に収容物１８を拘束することができ、収容箱内で収容物１８が振動することはなく、収容物１８が破損することはない。
【００２１】
しかも、この梱包形態の場合、特開２００２−１１４２１０号公報のもののように、熱収縮性フィルムに接着剤を塗布する必要はなく、接着剤のコストの問題はない。接着剤を塗布する装置のコストの問題もない。
【００２２】
なお、この実施例では、各底フラップ２の端縁１０に切り欠き１３を形成し、切り欠き１３によって間隙１２を形成したものを説明したが、一方の底フラップ２の端縁１０に切り欠きを形成し、切り欠きによって間隙を形成することも考えられる。さらに、各内フラップ４の端縁１５に切り欠き１６を形成し、切り欠き１６によって間隙１４を形成したものを説明したが、一方の内フラップ４の端縁１５に切り欠きを形成し、切り欠きによって間隙を形成することも考えられる。
【００２３】
内フラップ４のない収容箱の底面において、各底フラップ２間に間隙１２を形成し、熱収縮性フィルム１７を間隙１２に押し込み、粘着テープ１に押し付け、付着させることも考えられる。
【００２４】
図６は他の実施例を示す。この実施例でも、収容箱の底面において、一対の底フラップ２が互いに対向し、一対の内フラップ４が底フラップ２に直角に配置され、互いに対向することは図１のものと同様である。さらに、各内フラップ４が内側に折り曲げられ、各底フラップ２が内側に折り曲げられ、内フラップ４に重ね合わされ、底フラップ２および内フラップ４によって底面が形成される。収容箱の頂面において、一対の蓋フラップ６が互いに対向し、一対の内フラップ８が蓋フラップ６に直角に配置され、互いに対向することも図１のものと同様である。
【００２５】
さらに、図６の実施例では、各内フラップ４が内側に折り曲げられたとき、各内フラップ４間に間隙１４が形成され、空隙として間隙１４が使用される。内フラップ４は図１の内フラップと同様のもので、長辺３の半分の長さよりも短い。したがって、内フラップ４を内側に折り曲げたとき、各内フラップ４間に間隙１４が形成される。内フラップ４の端縁１５に切り欠き１６が形成されており、切り欠き１６によって内フラップ４の間隙１４が形成されることも図１のものと同様である。
【００２６】
そして、各内フラップ４間において、粘着テープ１９が内フラップ４の端縁１５に直角に配置され、その外面に貼り付けられ、粘着テープ１９によって各内フラップ４が連結される。したがって、間隙１４の外側において、粘着テープ１９が間隙１４を横切るよう配置され、内フラップ４の外面に貼り付けられ、間隙１４の両側部分に貼り付けられるものである。
【００２７】
さらに、図７に示すように、各底フラップ２が内側に折り曲げられたとき、各底フラップ２間において、粘着テープ２０が底フラップ２の端縁１０に沿って配置され、その外面に貼り付けられ、粘着テープ２０によって各底フラップ２が連結され、固定される。
【００２８】
その後、熱収縮性フィルム１７が収容箱に挿入され、間隙１４に押し込まれ、粘着テープ１９に押し付けられ、付着する。
【００２９】
さらに、収容物が収容箱に収容され、熱収縮性フィルム１７によって収容物が包装され、熱収縮性フィルム１７が適宜熱収縮する。たとえば、図１のものと同様、加熱装置によって熱収縮性フィルム１７が加熱され、ブロッキング性によって熱収縮性フィルム１７がくっつき、加熱されたとき、熱収縮性フィルム１７が適宜熱収縮する。
【００３０】
したがって、粘着テープ１９および熱収縮性フィルム１７によって収容物が拘束される。したがって、収容箱に緩衝材を充填する必要はない。
【００３１】
図６の実施例において、図８に示すように、粘着テープ１９として２枚のテープを使用し、各テープ１９を内フラップ４の幅方向両側に配置し、その外面に貼り付け、各テープ１９によって各内フラップ４を連結してもよい。内フラップ２の幅方向両側において、それぞれ切り欠き２１を形成し、切り欠き２１によって間隙１４を形成し、拡大させ、各テープ１９によって切り欠き２１を被覆するようにしてもよい。
【００３２】
そして、図９に示すように、熱収縮性フィルム１７を収容箱に挿入し、間隙１４に押し込み、粘着テープ１９に押し付け、付着させる。
【００３３】
その後、図６のものと同様、収容物を収容箱に収容し、熱収縮性フィルム１７によって収容物を包装し、熱収縮性フィルム１７を適宜熱収縮させればよい。
【００３４】
図１０に示すように、内フラップ４の所定個所に孔２２を形成し、空隙として孔２２を使用する。そして、孔２２の外側において、粘着テープ１９を孔２２を横切るよう配置し、内フラップ４の外面に貼り付けてもよい。粘着テープ１９として２枚のテープを使用し、各内フラップ４において、その所定個所に孔２２を形成し、各テープ１９を孔２２を横切るよう配置し、内フラップ４の外面に貼り付けてもよい。孔２２を内フラップ４の幅方向にのびるよう形成し、粘着テープ１９を内フラップ４の幅方向に配置し、その外面に貼り付け、粘着テープ１９によって孔２２を被覆するようにしてもよい。
【００３５】
そして、図１１に示すように、熱収縮性フィルム１７を収容箱に挿入し、孔２２に押し込み、粘着テープ１９に押し付け、付着させればよい。
【符号の説明】
【００３６】
１，１９  粘着テープ
２  底フラップ
４  内フラップ
１０，１５  端縁
１２，１４  間隙
１７  熱収縮性フィルム
１８  収容物
２２  孔
【図１】
2010159078.tif 000003
【図２】
2010159078.tif 000004
【図３】
2010159078.tif 000005
【図４】
2010159078.tif 000006
【図５】
2010159078.tif 000007
【図６】
2010159078.tif 000008
【図７】
2010159078.tif 000009
【図８】
2010159078.tif 000010
【図９】
2010159078.tif 000011
【図１０】
2010159078.tif 000012
【図１１】
2010159078.tif 000013